【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
クライアント装置から申請された申請内容情報を受け付ける管理サーバと、画像読み取り機構を備える画像処理装置とを含む画像処理システムであって、
前記管理サーバは、
前記クライアント装置から申請された申請内容情報に従って、前記画像処理装置で画像の読み取り処理が必要であるか否かを判断する判断手段と、
前記判断手段により前記画像処理装置で画像の読み取り処理が必要であると判断された場合に、前記画像処理装置で画像の読み取りを実行するためのスキャンチケットを生成するスキャンチケット生成手段と、
前記画像処理装置からの要求に応じて、前記スキャンチケット生成手段により生成されているスキャンチケットを特定するためのチケット識別情報とジョブ名称を含むスキャンジョブの一覧情報を、前記画像処理装置に送信する一覧送信手段と、
前記画像処理装置からのチケット識別情報を含むスキャンチケット取得要求に応じて、前記スキャンチケット取得要求に含まれるチケット識別情報により識別されるスキャンチケットを、前記画像処理装置に送信するチケット送信手段と
を備え、
前記画像処理装置は、
前記管理サーバに対する要求に応じて前記管理サーバから送信されるスキャンジョブの一覧情報を用いて、表示部にスキャンジョブのジョブ名称の一覧を表示する表示制御手段と、
前記表示制御手段により表示部に表示されたスキャンジョブのジョブ名称の一覧から、実行するスキャンジョブの選択と、実行の指示とを受け付けるユーザ操作受付手段と、
前記ユーザ操作受付手段により受け付けたスキャンジョブに対応するチケット識別情報を含むスキャンチケット取得要求を、前記管理サーバに送信するスキャンチケット取得要求手段と、
前記管理サーバに対するスキャンチケット取得要求に応じて前記管理サーバから送信されるスキャンチケットを用いて、前記画像読み取り機構を用いて画像読み取り処理を行い、画像読み取り処理により得られた画像を、前記スキャンチケットにより特定される送信先に送信する画像処理手段と
を備えることを特徴とする画像処理システム。
【請求項２】
前記管理サーバは、
前記チケット送信手段により送信されたスキャンチケットを用いて得られた画像データを前記画像処理装置より受信する画像受信手段と、
前記画像受信手段で受信された画像を、前記クライアント装置から申請された申請内容情報と対応づけて記憶する記憶手段と
をさらに備えることを特徴とする請求項１記載の画像処理システム。
【請求項３】
前記管理サーバは、
前記クライアント装置に申請画面を表示するための申請画面情報を送信する申請画面情報送信手段と、
前記クライアント装置から前記申請画面を介して入力された申請内容情報を受信する申請内容情報受信手段と、
前記判断手段により前記画像処理装置で画像の読み取り処理が必要でないと判断された場合に、前記申請内容情報受信手段で受信された申請内容情報を、ワークフローの次のアクティビティに進めるワークフロー制御手段とをさらに備え、
前記ワークフロー制御手段は、前記判断手段により前記画像処理装置で画像の読み取り処理が必要であると判断された場合には、前記記憶手段に前記画像受信手段で受信された画像と前記クライアント装置から申請された申請内容情報と対応づけて記憶した後で、前記申請内容情報受信手段で受信された申請内容情報を、ワークフローの次のアクティビティに進めることを特徴とする請求項２に記載の画像処理システム。
【請求項４】
前記管理サーバは、
前記申請画面情報送信手段、前記申請内容情報受信手段、前記ワークフロー制御手段、および前記判断手段を備えるワークフローサーバと、
前記スキャンチケット生成手段、前記一覧送信手段、および前記チケット送信手段を備えるチケットサーバとに分けて構成されており、
前記ワークフローサーバは、
前記判断手段により前記画像処理装置で画像の読み取り処理が必要であると判断された場合に、前記スキャンチケット生成手段が前記スキャンチケットを生成すべく、前記チケットサーバに対して、前記スキャンチケットの生成を要求する生成要求手段をさらに備えることを特徴とする請求項３に記載の画像処理システム。
【請求項５】
前記画像処理装置の画像処理手段は、前記画像読み取り処理により得られた画像を、前記スキャンチケットで指定される送信先であるワークフローサーバに送信し、
前記ワークフローサーバは、前記画像受信手段と前記記憶手段とを備えることを特徴とする請求項４記載の画像処理システム。
【請求項６】
前記管理サーバは、前記申請内容情報を申請した第１のユーザ識別情報を、前記スキャンチケット生成手段で生成されたスキャンチケットに対応づけて記憶するチケット記憶手段をさらに備え、
前記画像処理装置は、前記画像処理装置にログインしたユーザを識別する第２のユーザ識別情報を含むスキャンチケットの一覧要求を行う一覧要求手段をさらに備え、
前記管理サーバの一覧送信手段は、前記画像処理装置の一覧要求手段で送信された一覧要求に含まれる第２のユーザ識別情報に対応する第１のユーザ識別情報のスキャンチケットを特定し、該特定されたスキャンチケットを特定するためのチケット識別情報をとジョブ名称を含むスキャンジョブの一覧情報を前記画像処理装置に送信することを特徴とする請求項１乃至５のいずれか１項に記載の画像処理システム。
【請求項７】
前記管理サーバは、
前記クライアント装置からのユーザ識別情報を含む申請済み情報の取得要求に応じて、前記申請済み情報の表示画面の画面情報を生成する申請済み画面情報生成手段をさらに備え、
前記申請済み画面情報生成手段は、前記画像処理装置で画像の読み取り処理が必要である申請内容情報について、画像読み取り処理により得られた画像が登録済みであるか否かを識別可能に前記申請済み情報の表示画面の画面情報を生成することを特徴とする請求項１乃至６のいずれか１項に記載の画像処理システム。
【請求項８】
クライアント装置から申請された申請内容情報を受け付ける管理サーバと、画像読み取り機構を備える画像処理装置とを含む画像処理システムにおける画像処理方法であって、
前記管理サーバが、
前記クライアント装置から申請された申請内容情報に従って、前記画像処理装置で画像の読み取り処理が必要であるか否かを判断する判断工程と、
前記判断工程で前記画像処理装置で画像の読み取り処理が必要であると判断された場合に、前記画像処理装置で画像の読み取りを実行するためのスキャンチケットを生成するスキャンチケット生成工程と、
前記画像処理装置からの要求に応じて、前記スキャンチケット生成工程で生成されているスキャンチケットを特定するためのチケット識別情報とジョブ名称を含むスキャンジョブの一覧情報を、前記画像処理装置に送信する一覧送信工程と、
前記画像処理装置からのチケット識別情報を含むスキャンチケット取得要求に応じて、前記スキャンチケット取得要求に含まれるチケット識別情報により識別される前記指示内容が定義されているスキャンチケットを、前記画像処理装置に送信するチケット送信工程と
を含み、
前記画像処理装置が、
前記管理サーバに対する要求に応じて前記管理サーバから送信されるスキャンジョブの一覧情報を用いて、表示部にスキャンジョブのジョブ名称の一覧を表示する表示制御工程と、
前記表示制御工程で表示部に表示されたスキャンジョブのジョブ名称の一覧から、実行するスキャンジョブの選択と、実行の指示とを受け付けるユーザ操作受付工程と、
前記ユーザ操作受付工程で受け付けたスキャンジョブに対応するチケット識別情報を含むスキャンチケット取得要求を、前記管理サーバに送信するスキャンチケット取得要求工程と、
前記管理サーバに対するスキャンチケット取得要求に応じて前記管理サーバから送信されるスキャンチケットを用いて、前記画像読み取り機構を用いて画像読み取り処理を行い、画像読み取り処理により得られた画像を、前記スキャンチケットにより特定される送信先に送信する画像処理工程と
を含むことを特徴とする画像処理方法。
【請求項９】
クライアント装置から申請された申請内容情報を受け付ける管理サーバと、画像読み取り機構を備える画像処理装置とを含む画像処理システムで実行されるプログラムであって、
前記管理サーバを、
前記クライアント装置から申請された申請内容情報に従って、前記画像処理装置で画像の読み取り処理が必要であるか否かを判断する判断手段と、
前記判断手段により前記画像処理装置で画像の読み取り処理が必要であると判断された場合に、前記画像処理装置で画像の読み取りを実行するためのスキャンチケットを生成するスキャンチケット生成手段と、
前記画像処理装置からの要求に応じて、前記スキャンチケット生成手段により生成されているスキャンチケットを特定するためのチケット識別情報とジョブ名称を含むスキャンジョブの一覧情報を、前記画像処理装置に送信する一覧送信手段と、
前記画像処理装置からのチケット識別情報を含むスキャンチケット取得要求に応じて、前記スキャンチケット取得要求に含まれるチケット識別情報により識別されるスキャンチケットを、前記画像処理装置に送信するチケット送信手段として機能させ、
前記画像処理装置を、
前記管理サーバに対する要求に応じて前記管理サーバから送信されるスキャンジョブの一覧情報を用いて、表示部にスキャンジョブのジョブ名称の一覧を表示する表示制御手段と、
前記表示制御手段により表示部に表示されたスキャンジョブのジョブ名称の一覧から、実行するスキャンジョブの選択と、実行の指示とを受け付けるユーザ操作受付手段と、
前記ユーザ操作受付手段により受け付けたスキャンジョブに対応するチケット識別情報を含むスキャンチケット取得要求を、前記管理サーバに送信するスキャンチケット取得要求手段と、
前記管理サーバに対するスキャンチケット取得要求に応じて前記管理サーバから送信されるスキャンチケットを用いて、前記画像読み取り機構を用いて画像読み取り処理を行い、画像読み取り処理により得られた画像を、前記スキャンチケットにより特定される送信先に送信する画像処理手段として機能させることを特徴とするプログラム。
【請求項１０】
画像読み取り機構を備える画像処理装置、およびクライアント装置と通信可能な管理サーバであって、
前記クライアント装置から申請された申請内容情報に従って、前記画像処理装置で画像の読み取り処理が必要であるか否かを判断する判断手段と、
前記判断手段により前記画像処理装置で画像の読み取り処理が必要であると判断された場合に、前記画像処理装置で画像の読み取りを実行するためのスキャンチケットを生成するスキャンチケット生成手段と、
前記画像処理装置からの要求に応じて、前記スキャンチケット生成手段により生成されているスキャンチケットを特定するためのチケット識別情報とジョブ名称を含むスキャンジョブの一覧情報を、前記画像処理装置に送信する一覧送信手段と、
前記画像処理装置からのチケット識別情報を含むスキャンチケット取得要求に応じて、前記スキャンチケット取得要求に含まれるチケット識別情報により識別されるスキャンチケットを、前記画像処理装置に送信するチケット送信手段と、
前記チケット送信手段により送信されたスキャンチケットを用いて前記画像処理装置で画像読み取り処理を行うことにより得られた画像データを受信する画像受信手段と、
前記画像受信手段で受信された画像を、前記クライアント装置から申請された申請内容情報と対応づけて記憶する記憶手段と
を備えることを特徴とする管理サーバ。
【請求項１１】
画像読み取り機構を備える画像処理装置、およびクライアント装置と通信可能な管理サーバの画像処理方法であって、
前記管理サーバが、
前記クライアント装置から申請された申請内容情報に従って、前記画像処理装置で画像の読み取り処理が必要であるか否かを判断する判断工程と、
前記判断工程により前記画像処理装置で画像の読み取り処理が必要であると判断された場合に、前記画像処理装置で画像の読み取りを実行するためのスキャンチケットを生成するスキャンチケット生成工程と、
前記画像処理装置からの要求に応じて、前記スキャンチケット生成工程により生成されているスキャンチケットを特定するためのチケット識別情報とジョブ名称を含むスキャンジョブの一覧情報を、前記画像処理装置に送信する一覧送信工程と、
前記画像処理装置からのチケット識別情報を含むスキャンチケット取得要求に応じて、前記スキャンチケット取得要求に含まれるチケット識別情報により識別されるスキャンチケットを、前記画像処理装置に送信するチケット送信工程と、
前記チケット送信工程により送信されたスキャンチケットを用いて前記画像処理装置で画像読み取り処理を行うことにより得られた画像データを受信する画像受信工程と、
前記画像受信工程で受信された画像を、前記クライアント装置から申請された申請内容情報と対応づけて記憶する記憶工程と
を含むことを特徴とする画像処理方法。
【請求項１２】
画像読み取り機構を備える画像処理装置、およびクライアント装置と通信可能な管理サーバで実行されるプログラムであって、
前記管理サーバを、
前記クライアント装置から申請された申請内容情報に従って、前記画像処理装置で画像の読み取り処理が必要であるか否かを判断する判断手段と、
前記判断手段により前記画像処理装置で画像の読み取り処理が必要であると判断された場合に、前記画像処理装置で画像の読み取りを実行するためのスキャンチケットを生成するスキャンチケット生成手段と、
前記画像処理装置からの要求に応じて、前記スキャンチケット生成手段により生成されているスキャンチケットを特定するためのチケット識別情報とジョブ名称を含むスキャンジョブの一覧情報を、前記画像処理装置に送信する一覧送信手段と、
前記画像処理装置からのチケット識別情報を含むスキャンチケット取得要求に応じて、前記スキャンチケット取得要求に含まれるチケット識別情報により識別されるスキャンチケットを、前記画像処理装置に送信するチケット送信手段と、
前記チケット送信手段により送信されたスキャンチケットを用いて前記画像処理装置で画像読み取り処理を行うことにより得られた画像データを受信する画像受信手段と、
前記画像受信手段で受信された画像を、前記クライアント装置から申請された申請内容情報と対応づけて記憶する記憶手段として機能させることを特徴とするプログラム。
【手続補正２】
【補正対象書類名】明細書
【補正対象項目名】発明の名称
【補正方法】変更
【補正の内容】
【発明の名称】画像処理システム、管理サーバと、その画像処理方法、およびそのプログラム
【手続補正３】
【補正対象書類名】明細書
【補正対象項目名】０００１
【補正方法】変更
【補正の内容】
【０００１】
画像処理システム、管理サーバと、その画像処理方法、およびそのプログラムに関し、特に、ワークフローで申請された内容が画像の読み取り処理を必要とする場合にスキャンチケットを発行し、ユーザが画像処理装置を利用する際に、画像の読み取り処理が容易に実行できる画像処理システム、管理サーバと、その画像処理方法、およびそのプログラムに関する。
【手続補正４】
【補正対象書類名】明細書
【補正対象項目名】００１０
【補正方法】変更
【補正の内容】
【００１０】
そこで、本願発明は、管理サーバへの申請内容情報に従って、画像読み取りを行うためのスキャンチケットを発行し、容易な操作で申請内容情報に対応する画像読み取り処理を行う仕組みを提供することを目的とする。
【手続補正５】
【補正対象書類名】明細書
【補正対象項目名】００１１
【補正方法】変更
【補正の内容】
【００１１】
本発明は、クライアント装置から申請された申請内容情報を受け付ける管理サーバと、画像読み取り機構を備える画像処理装置とを含む画像処理システムであって、前記管理サーバは、前記クライアント装置から申請された申請内容情報に従って、前記画像処理装置で画像の読み取り処理が必要であるか否かを判断する判断手段と、前記判断手段により前記画像処理装置で画像の読み取り処理が必要であると判断された場合に、前記画像処理装置で画像の読み取りを実行するためのスキャンチケットを生成するスキャンチケット生成手段と、前記画像処理装置からの要求に応じて、前記スキャンチケット生成手段により生成されているスキャンチケットを特定するためのチケット識別情報とジョブ名称を含むスキャンジョブの一覧情報を、前記画像処理装置に送信する一覧送信手段と、前記画像処理装置からのチケット識別情報を含むスキャンチケット取得要求に応じて、前記スキャンチケット取得要求に含まれるチケット識別情報により識別されるスキャンチケットを、前記画像処理装置に送信するチケット送信手段とを備え、前記画像処理装置は、前記管理サーバに対する要求に応じて前記管理サーバから送信されるスキャンジョブの一覧情報を用いて、表示部にスキャンジョブのジョブ名称の一覧を表示する表示制御手段と、前記表示制御手段により表示部に表示されたスキャンジョブのジョブ名称の一覧から、実行するスキャンジョブの選択と、実行の指示とを受け付けるユーザ操作受付手段と、前記ユーザ操作受付手段により受け付けたスキャンジョブに対応するチケット識別情報を含むスキャンチケット取得要求を、前記管理サーバに送信するスキャンチケット取得要求手段と、前記管理サーバに対するスキャンチケット取得要求に応じて前記管理サーバから送信されるスキャンチケットを用いて、前記画像読み取り機構を用いて画像読み取り処理を行い、画像読み取り処理により得られた画像を、前記スキャンチケットにより特定される送信先に送信する画像処理手段とを備えることを特徴とする。
【手続補正６】
【補正対象書類名】明細書
【補正対象項目名】００１２
【補正方法】変更
【補正の内容】
【００１２】
また、前記管理サーバは、前記チケット送信手段により送信されたスキャンチケットを用いて得られた画像データを前記画像処理装置より受信する画像受信手段と、前記画像受信手段で受信された画像を、前記クライアント装置から申請された申請内容情報と対応づけて記憶する記憶手段とをさらに備えることを特徴とする。
【手続補正７】
【補正対象書類名】明細書
【補正対象項目名】００１３
【補正方法】変更
【補正の内容】
【００１３】
また、前記管理サーバは、前記クライアント装置に申請画面を表示するための申請画面情報を送信する申請画面情報送信手段と、前記クライアント装置から前記申請画面を介して入力された申請内容情報を受信する申請内容情報受信手段と、前記判断手段により前記画像処理装置で画像の読み取り処理が必要でないと判断された場合に、前記申請内容情報受信手段で受信された申請内容情報を、ワークフローの次のアクティビティに進めるワークフロー制御手段とをさらに備え、前記ワークフロー制御手段は、前記判断手段により前記画像処理装置で画像の読み取り処理が必要であると判断された場合には、前記記憶手段に前記画像受信手段で受信された画像と前記クライアント装置から申請された申請内容情報と対応づけて記憶した後で、前記申請内容情報受信手段で受信された申請内容情報を、ワークフローの次のアクティビティに進めることを特徴とする。
【手続補正８】
【補正対象書類名】明細書
【補正対象項目名】００１６
【補正方法】変更
【補正の内容】
【００１６】
また、前記管理サーバは、前記申請内容情報を申請した第１のユーザ識別情報を、前記スキャンチケット生成手段で生成されたスキャンチケットに対応づけて記憶するチケット記憶手段をさらに備え、前記画像処理装置は、前記画像処理装置にログインしたユーザを識別する第２のユーザ識別情報を含むスキャンチケットの一覧要求を行う一覧要求手段をさらに備え、前記管理サーバの一覧送信手段は、前記画像処理装置の一覧要求手段で送信された一覧要求に含まれる第２のユーザ識別情報に対応する第１のユーザ識別情報のスキャンチケットを特定し、該特定されたスキャンチケットを特定するためのチケット識別情報をとジョブ名称を含むスキャンジョブの一覧情報を前記画像処理装置に送信することを特徴とする。
【手続補正９】
【補正対象書類名】明細書
【補正対象項目名】００１８
【補正方法】変更
【補正の内容】
【００１８】
本発明によれば、管理サーバへの申請内容情報に従って、画像読み取りを行うためのスキャンチケットを発行するので、申請内容情報に対応する画像読み取り処理を容易に行うことができる。
【手続補正１０】
【補正対象書類名】明細書
【補正対象項目名】００１９
【補正方法】変更
【補正の内容】
【００１９】
その他の効果として、ユーザが画像処理装置を利用する際に、読み取りが必要なジョブがあることを認識させるので画像の読み取り業務を忘れにくくさせることができる。
また、業務システムでの申請内容と、画像処理装置で読み取って得られた電子データとの関連を判断できるので、承認者の負担も軽減できるという効果が得られる。